(57)【要約】【課題】  仕切板の厚さや上下寸法に関係なく、これを天板上に容易に、かつ見栄えよく安定して立設する。【解決手段】  天板２の上面の左右両側部に立設した１対の支柱５の上端部同士を、下面に長手方向を向く嵌合溝２４を有する横連結杆１９に連結するとともに、上記嵌合溝２４と対向する天板２の上面の左右方向を凹溝２５に、保持溝２６を有する保持部材２８を嵌着し、上記嵌合溝２４と保持溝２６とに、仕切板２９の上下の端部を嵌合して天板２上に立設する。【選択図】  図２
2005131195.tif 000002
【特許請求の範囲】
【請求項１】
天板の上面の左右両側部に立設した１対の支柱の上端部同士を、下面に下方が開口する嵌合溝を長手方向に沿って形成してなる横連結杆により連結するとともに、該横連結杆の嵌合溝と対向する前記天板の上面に、左右方向を向く凹溝を設け、前記嵌合溝と凹溝とに、仕切板の上端部と下端部を嵌合することにより、該仕切板を天板上に立設したことを特徴とする机の天板上への仕切板の取付構造。
【請求項２】
天板の凹溝に、仕切板の下端部が嵌合可能な保持溝を有するとともに、この保持溝の上端の開口縁より前後反対方向に延出し、下面が天板の上面に当接する当接片を備える保持部材を嵌着した請求項１に記載の机の天板上への仕切板の取付構造。
【請求項３】
支柱の下端と天板の上面との間に、平面形が支柱の断面形より大きいベース部材を挟入し、該ベース部材と支柱とを、ベース部材の下方より支柱に向かって螺合したねじにより、またベース部材と天板とを、天板の下方よりベース部材に向かって螺合したねじにより、それぞれ固定した請求項１または２に記載の机の天板上への仕切板の取付構造。
【請求項４】
ベース部材の下面に、雌ねじ孔を有する少なくとも前後１対の下向突部を設け、この両下向突部を天板に穿設した通孔に嵌合し、天板の下方より前記雌ねじ孔に向かってねじを螺合することにより、ベース部材を天板に固定した請求項３に記載の机の天板上への仕切板の取付構造。
【請求項５】
仕切板を透光性パネルにより形成した請求項１ないし４のいずれかに記載の机の天板上への仕切板の取付構造。
【発明の詳細な説明】
【技術分野】
【０００１】
本発明は、例えば机の天板の後端部又は前後方向の中央部の上面に、仕切板を簡単に立設し得るようにした取付構造に関する。
【背景技術】
【０００２】
オフィス等において各個人の机の天板面を前後に仕切ったり、書類等をピンにより係止可能とするために、天板上に仕切板や、ピンナップボードとして使用可能な衝立を立設することがある（例えば特許文献１、２参照）。
【０００３】
【特許文献１】特開平１１−１５５６４８号公報
【特許文献２】特許第２６３０９００号公報
【発明の開示】
【発明が解決しようとする課題】
【０００４】
上記特許文献に記載されている仕切板等の取付構造では、いずれも仕切板の下端のみが、取付片や取付金具を用いて天板の上面に固定されているため、前後方向に強い力が加わると、ぐら付く恐れがある。
特にこの問題は、仕切板が薄かったり、上下寸法が大きい場合に起き易い。
また、取付片や取付金具が天板上に露出するため、見栄えも悪い。
【０００５】
本発明は、上記問題点を解決するためになされたもので、仕切板の厚さや上下寸法の大小に関係なく、これを、天板上に容易に、かつ見栄えよく安定して立設し得るようにした机の天板上への仕切板の取付構造を提供することを目的としている。
【課題を解決するための手段】
【０００６】
上記目的を達成するために、本発明の請求項１に記載の仕切板の取付構造は、天板の上面の左右両側部に立設した１対の支柱の上端部同士を、下面に下方が開口する嵌合溝を長手方向に沿って形成してなる横連結杆により連結するとともに、該横連結杆の嵌合溝と対向する前記天板の上面に、左右方向を向く凹溝を設け、前記嵌合溝と凹溝とに、仕切板の上端部と下端部を嵌合することにより、該仕切板を天板上に立設したことを特徴としている。
この特徴によれば、仕切板を、その上下の端部を横連結杆の下面の嵌合溝と天板の凹溝とに嵌合するだけで、極めて容易に立設することができる。
また、仕切板の上下の端部が保持されているので、仕切板が薄かったり、上下寸法が大であっても、前後方向にぐら付く恐れはなく、天板上に安定して立設することができる。
さらに、従来のような取付金具が不要となるので、仕切板にはねじ孔等、何らの加工を施す必要はなく、かつ取付金具等が天板上に露出しないので、見栄えも向上する。
【０００７】
本発明の請求項２に記載の仕切板の取付構造は、請求項１に記載の仕切板の取付構造であって、天板の凹溝に、仕切板の下端部が嵌合可能な保持溝を有するとともに、この保持溝の上端の開口縁より前後反対方向に延出し、下面が天板の上面に当接する当接片を備える保持部材を嵌着することを特徴としている。
この特徴によれば、天板に形成された凹溝が保持部材により覆われるので、見栄えがよく、かつ仕切板の下端部を保持部材により保護することができる。
【０００８】
本発明の請求項３に記載の仕切板の取付構造は、請求項１または２に記載の仕切板の取付構造であって、支柱の下端と天板の上面との間に、平面形が支柱の断面形より大きいベース部材を挟入し、該ベース部材と支柱とを、ベース部材の下方より支柱に向かって螺合したねじにより、またベース部材と天板とを、天板の下方よりベース部材に向かって螺合したねじにより、それぞれ固定するのが好ましい。
この特徴によれば、支柱の下端の天板面との接触面積が大となるので、支柱を安定して天板上に立設することができ、横連結杆の支持強度も高くなることから、仕切板の上端部がより安定して保持される。また、ベース部材取付用のねじが露出しないので、見栄えもよい。
【０００９】
本発明の請求項４に記載の仕切板の取付構造は、請求項３に記載の仕切板の取付構造であって、ベース部材の下面に、雌ねじ孔を有する少なくとも前後１対の下向突部を設け、この両下向突部を天板に穿設した通孔に嵌合し、天板の下方より前記雌ねじ孔に向かってねじを螺合することにより、ベース部材を天板に固定するのが好ましい。
この特徴によれば、ベース部材の下向突部が天板の通孔に嵌合され、かつその下向突部がねじにより天板に固定されるため、ベース部材の取付強度が大きく、支柱をより安定して天板に立設することができる。
【００１０】
本発明の請求項５に記載の仕切板の取付構造は、請求項１ないし４のいずれかに記載の仕切板の取付構造であって、仕切板を透光性パネルにより形成するのが好ましい。
この特徴によれば、仕切板を透過した光により天板面が明るくなるので、仕切板を立設したことによる圧迫感や暗さが解消される。
【発明を実施するための最良の形態】
【００１１】
以下、本発明の実施形態を図面に基づいて説明する。
【００１２】
図１は、本発明を適用した机（テーブルも含む）の斜視図、図２は分解斜視図である。机１の天板２は、左右方向に長い長方形をなし、その下面の四隅部に取付けられた４本の脚柱３により支持されている。また、天板２の左右両側端部における前後方向（以下、図１の斜め右手前を前として説明する）の中央部上面には、アルミニウム合金製のベース部材４を介して１対の支柱５、５が立設されている。
【００１３】
ベース部材４は、図３及び図４にも示すように、平面形が支柱５の断面形より大きな前後方向に長い長円形をなし、上面中央は平坦面となっている。
【００１４】
ベース部材４の前後の下面には、下端が開口する雌ねじ孔６を有する下向突部７が連設され、両下向突部７を天板２に穿設された通孔８に嵌合し、その下方よりワッシャ９を介して挿入したねじ１０を、下向突部７の雌ねじ孔６に螺合することにより、ベース部材４は天板２の上面に固定されている。
【００１５】
支柱５は、外側面の中央部に上下方向を向く凹条溝１１を有するほぼＣ字状断面をなし、アルミニウム合金等により形成されている。支柱５の側面の開口部には、合成樹脂製のカバー１２が着脱可能に嵌着されている。
【００１６】
支柱５は、ベース部材４を天板２に取付ける前において、ベース部材４の中央の上面に、それに穿設した前後２個の通孔１３の下方より挿入したねじ１４を支柱５の下端部の雌ねじ孔１５に螺合することにより、固着されている。また、支柱５の上端は、キャップ部材１６を止着することにより閉塞されている。（図２参照）。
【００１７】
ベース部材４の中央とその下方の天板２には、配線孔１７、１８が貫設され、支柱５の凹条溝１１内に収容して配線された、後記する照明器具４０の電源コード（図示略）等を下方に挿通し得るようになっている。
【００１８】
左右の支柱５の上端部間には、横連結杆１９が、スペーサ２０を介して、支柱５の上端部の凹条溝１１内より挿入した上下２本のねじ２１により固定されている。
【００１９】
横連結杆１９は、図５に示すように、側面視ほぼ中空の矩形断面をなし、その前後両面の上下部には、互いに対向する倒立Ｌ字状の係止片２２とＬ字状の係止片２３とが、前後対称的の長手方向に全長にわたって形成され、また下面の中央には、下方が開口する上向きの嵌合溝２４が、長手方向に全長にわたって形成されている。なお、横連結杆１９は、アルミニウム合金等の押し出し成形品よりなっている。
【００２０】
横連結杆１９の嵌合溝２４と対向する天板２の中央部上面には、左右方向を向く凹溝２５が、上記配線孔１８の穿設部まで形成され、この凹溝２５には、左右方向を向く側面視凹状の保持溝２６を有するとともに、その上端の開口縁より前後反対方向に延出する当接片２７を有する保持部材２８が、両当接片２７の下面を天板２の上面に当接させて嵌着されている（図５参照）。保持部材２８の左右寸法は、左右のベース部材４の下端間の離間寸法とほぼ等しく、また保持溝２６と上記嵌合溝２４の前後寸法は等幅とされ、かつ上下に垂直に対向している。
【００２１】
横連結杆１９の嵌合溝２４と保持部材２８の保持溝２６には、透明又は半透明の透光性のアクリルパネル等よりなるメイン仕切板２９の上下の端部が、左右の側端面が支柱５の内側面と当接又は近接するようにして嵌合されている（図４参照）。また、３０は、天板２の上面を左右方向に複数の仕切る、上記仕切板２９と同材質のサイド仕切板で、天板２の左右両端部と中間部とに、次のように立設されている。
【００２２】
図２に示すように、メイン仕切板２９の左右方向の中間部には、上端から中央部に至るスリット状の凹溝３１が下向きに形成され、また各サイド仕切板３０の前後方向の中央部には、下端から中央部に至るスリット状の凹溝３２が上向きに形成されている。
【００２３】
横連結杆１９を支柱５に取付ける前において、メイン仕切板２９の凹溝３１に、サイド仕切板３０の凹溝３２を上方より嵌合することにより、サイド仕切板３０は、メイン仕切板２９の中間部に互いに直交状に交差して連結される。
【００２４】
なお、連結後においてサイド仕切板３０の上端は、図５に示すように、横連結杆１９の取付時にその下面と当接しないように、メイン仕切板２９の上端より若干下方に位置するようになっている。
【００２５】
メイン仕切板２９の側端面の上半部には、切欠凹部３３が形成され、この切欠凹部３３と支柱５の内側面との対向面間に上記と同様の下向きの凹溝（図示略）を形成し、この凹溝にサイド仕切板３０の凹溝３２を上方より嵌合することにより、メイン仕切板２９の側端にサイド仕切板３０が直交状に連結される。
【００２６】
各サイド仕切板３０の前後両端の下部は、天板２の上面に固定された合成樹脂製の保持具３４により挟持されている。
【００２７】
すなわち、図６にも示すように、円柱状をなす保持具３４におけるサイド仕切板３０と対向する面には、該サイド仕切板３０が嵌合可能な平面視内向コ字状の保持溝３５が形成され、また保持溝３５の奥面の上下方向の中間部には、サイド仕切板３０の端面下部に形成された凹部３６の嵌合可能な突部３７が突設されている。
【００２８】
サイド仕切板３０の前後両端の下部に、保持具３４の保持溝３５を、その奥面の突部３７を凹部３６に嵌合させながら挿入した後、保持具３４を、保持溝３５と反対側に形成した雌ねじ孔３８に、天板２の下方よりねじ３９を螺合して固定することにより、サイド仕切板３０の前後両端は、左右方向と上方への移動が阻止されて天板２の上面に固定される。
【００２９】
なお、横連結杆１９の前後両面には、その係止片２２、２３を利用して、照明器具４０等をオプションで取付けることができる。
【００３０】
以上説明したように、メイン仕切板２９の上下の端部を、左右の支柱５に取付けた横連結杆１９の下面の嵌合溝２４と、天板２の凹溝２５に嵌着した保持部材２８の保持溝２６とに嵌合するだけで、天板２上に極めて容易に、かつ板厚の薄い仕切板でも安定して立設することができる。
【００３１】
また、サイド仕切板３０も、その下半部に形成した凹溝３２を、メイン仕切板２９の上半部の凹溝３１に上方より嵌合し、かつサイドパネル３０の前後両端下部を保持具３４により固定することにより、メイン仕切板２９と直交状に交差させて、容易に、かつ安定して立設することができる。
【００３２】
なお、上記実施形態においては、天板２に形成した凹溝２５に保持部材２８を嵌着し、その保持溝２６にメイン仕切板２９の下端部を嵌合しているが、保持部材２８を省略し、天板２に形成した凹溝に直接メイン仕切板２９の下端部を嵌合するようにしてもよい。
【００３３】
また、メインパネル２９の左右の両端部にも、中間部に形成した凹溝３１と同様の凹溝を設け、この凹溝にサイド仕切板３０の凹溝３２を嵌合するようにしてもよい。
【００３４】
上記実施形態では、前後寸法の大きい天板２を備える前後対面型の机に適用した例を示したが、天板２の前後寸法が小さく、メイン仕切板２９を天板２の後端部上面に立設する際には、図７に示すように、サイド仕切板４１の後端の下半部を切欠き、その上端に、上下方向の中央部がメイン仕切板２９の凹溝３１の下方部に嵌合可能な短寸の上向きの凹溝４２を設けることが好ましい。
【００３５】
なお、凹溝４２は、上記実施形態と同様に下端から形成してもよい。
【図面の簡単な説明】
【００３６】
【図１】本発明を適用した机の斜視図である。
【図２】同じく、分解斜視図である。
【図３】ベース部材取付部の縦断側面図である。
【図４】図３のIV−IV線に沿う横断平面図である。
【図５】図１のＶ−Ｖ線の縦断側面図である。
【図６】保持具取付部の縦断側面図である。
【図７】前後寸法の小さい天板の後端部上面に立設されるメイン仕切板とサイド仕切板との係合形態の変形例を示す斜視図である。
【符号の説明】
【００３７】
１            机
２            天板
３            脚柱
４            ベース部材
５            支柱
６            雌ねじ孔
７            下向突部
８            通孔
９            ワッシャ
１０          ねじ
１１          凹条溝
１２          カバー
１３          通孔
１４          ねじ
１５          雌ねじ孔
１６          キャップ部材
１７、１８    配線孔
１９          横連結杆
２０          スペーサ
２１          ねじ
２２、２３    係止片
２４          嵌合溝
２５          凹溝
２６          保持溝
２７          当接片
２８          保持部材
２９          メイン仕切板
３０          サイド仕切板
３１、３２    凹溝
３３          切欠凹部
３４          保持具
３５          保持溝
３６          凹部
３７          突部
３８          雌ねじ孔
３９          ねじ
４０          照明器具
４１          サイド仕切板
４２          凹溝
【図１】
2005131195.tif 000003
【図２】
2005131195.tif 000004
【図３】
2005131195.tif 000005
【図４】
2005131195.tif 000006
【図５】
2005131195.tif 000007
【図６】
2005131195.tif 000008
【図７】
2005131195.tif 000009